(57)【要約】【課題】津波時などによる木材ブロックの浮遊移動を経済的に拘束する。【解決手段】地中に設置した地中ロープと、地中ロープに取り付けた上掛けロープとによって木材ブロックを拘束する構成である。地中ロープの一部はアンカーに取り付ける。このアンカーは、木材ブロックの浮上と引っ張りによって一定以上の引き抜き力が作用した場合に、容易に引き抜けるように構成してある。【選択図】図１
2010184753.tif 000002
【特許請求の範囲】
【請求項１】
地中に設置した地中ロープと、
地中ロープに取り付けた上掛けロープとによって木材ブロックを拘束する構成であり、
かつ地中ロープの一部はアンカーに取り付け、
このアンカーは、木材ブロックの浮上と引っ張りによって一定以上の引き抜き力が作用した場合に、容易に引き抜けるように構成した、
木材ブロックの拘束装置。
【請求項２】
地中に設置した地中ロープと、
地中ロープに取り付けた上掛けロープと、
木材ブロックの隅の稜線部分を包囲するネットによって木材ブロックを拘束する、
請求項１記載の木材ブロックの拘束装置。
【請求項３】
ひとつの木材ブロックと、
隣接する木材ブロックとの間を、
連結ロープによって連結して構成した、
請求項１記載の木材ブロックの拘束装置。
【発明の詳細な説明】
【技術分野】
【０００１】
本発明は、木材ブロックの拘束装置に関するものである。
【背景技術】
【０００２】
海外から船舶によって日本へ輸入される原木は、港湾のヤードに山積みして貯蔵する。  
この木材を積み上げた木材ブロックは、一定期間ごとにトラックなどの陸上輸送手段によって製材所やパルプ工場へ搬出される。
このように短期間で木材の搬入や、搬出が繰りかえされるので、複雑な手数を要する拘束手段によって拘束することができず、ワイヤーロープ１本で陸上に固定しているのが一般的である。
【発明の概要】
【発明が解決しようとする課題】
【０００３】
前記した従来の木材ブロックの拘束装置にあっては、次のような問題点がある。
＜１＞  このような状況の港湾に津波が来襲してきて、海水が木材ブロックに達すると、山積みになった木材ブロックが崩壊し、押し寄せる波に乗って陸上に乗り上げる。
＜２＞  この木材群が家屋に衝突して家屋を倒壊させ、人にも甚大な被害を与えたことが、多くの津波事故として報告されている。
＜３＞  さらに最近の調査報告によると、津波そのものでは家屋を倒壊させるほどの被害をもたらすものではなく、津波によって運ばれる小さい船舶や木材群の衝突が家屋破壊の原因であるといわれている。
＜４＞  さらに、津波の後に、陸上あるいは海上に散乱した木材群を回収する作業に多数の人力を要し、多くの費用がかかる。
＜５＞  また、海上に散乱して浮遊している木材群は、航行する船舶の運航を著しく阻害するだけでなく、船舶を利用した避難者の救済にも大きな支障をきたす原因となっている。
【課題を解決するための手段】
【０００４】
上記のような課題を解決するために本発明の木材ブロックの拘束装置は、
地中に設置した地中ロープと、地中ロープに取り付けた上掛けロープとによって木材ブロックを拘束する構成であり、かつ地中ロープの一部はアンカーに取り付け、このアンカーは、木材ブロックの浮上と引っ張りによって一定以上の引き抜き力が作用した場合に、容易に引き抜けるように構成したことを特徴としたものである。
【発明の効果】
【０００５】
本発明の木材ブロックの拘束装置は以上説明したようになるから次のような効果を得ることができる。
＜１＞簡単な構成で、木材ブロックを効率よく拘束することができるので、日常の搬入、搬出作業に影響を与えない。
＜２＞津波が木材ブロックに到達して、木材ブロックが浮き上がっても、その自由な移動を拘束しているので、陸上の家屋に到達しがたく、被害の発生を最小限で抑えることができる。
＜３＞津波の去ったのちには、木材群はバラバラにならず、ブロック状態で海上を漂流しているので、その回収が極めて容易である。
＜４＞小規模な津波や高潮の際には、木材ブロックを拘束するアンカーに大きな引張力が作用しないから、経済的な設計で木材ブロックを拘束することができる。
＜５＞大規模な津波が来襲した場合には、アンカーは、木材ブロックの引張力で引き抜かれる程度の強度で設置してあるので、経済的な設計で木材群のブロック化を図ることができる。
＜６＞アンカーが引き抜かれても、木材ブロックはアンカーを引きずって移動するので、アンカーが地上のガードレールなどにひっかかり、移動を拘束されることになる。
【図面の簡単な説明】
【０００６】
【図１】本発明の木材ブロックの拘束装置の実施例の説明図。
【図２】津波などで浮上した木材ブロックの拘束状態の説明図。
【図３】津波などで浮上した木材ブロックが拘束状態で移動している状態の説明図。
【図４】複数の木材ブロックを連結した状態の説明図。
【図５】木材ブロックを１か所のアンカーで拘束した状態の説明図。
【図６】木材ブロックの周囲をネットで拘束した状態の説明図。
【発明を実施するための形態】
【０００７】
以下図面を参照にしながら本発明の木材ブロックの拘束装置の好適な実施の形態を詳細に説明する。
【実施例】
【０００８】
＜１＞基本的構成。（図１）
本発明の木材ブロック４の拘束装置は、地中ロープ１と上掛けロープ２とから構成する。
この地中ロープ１と上掛けロープ２によって木材ブロック４を上下から拘束して一体のブロックを形成するものである。
【０００９】
＜２＞地中ロープ。
地中ロープ１は、地中に配置したワイヤーロープである。
この地中ロープ１の上に木材を集積して山状に積み上げてブロックを形成する。木材を海岸線と平行する方向に向けて並べる場合には、地中ロープ１は海岸線と直交する方向に向けて配置する。
地中ロープ１は、地盤を直線状に掘削して側溝のようにＵ字状のコンクリートやチャンネル材を敷設し、その溝８の内部にワイヤーロープを配置して構成する。
地中ロープ１を地中に配置するのは、地表面を走行するフォークリフトや他の運搬装置によって切断されることを阻止するためである。
したがってコンクリートやチャンネル材で溝８を形成することが不可欠ではなく、単に地中に埋め込んだワイヤーロープによって構成することもできる。
【００１０】
＜３＞アンカー。
地中ロープ１は単に地中に配置するだけではなく、その一部をアンカー３によって地盤に固定する。
アンカー３は、地中に設置した定着部材である。
たとえば地盤を円柱状に掘削し、その内部に鉄筋を配置し、コンクリートを打設して構成することができる。
このアンカー３の上端にＵ字状の鉄筋を突設して、前記した地中ロープ１の両端、あるいは中間を取り付ける。
アンカー３は、その形状や寸法によって、地中ロープ１に対して、地盤から得られる反力を設定することができる。
アンカー３と地中ロープ１との取り付けは、図１に示すように地中ロープ１の両端をアンカー３に取り付ける構成、あるいは図５に示すように、地中ロープ１の一部をアンカー３に取り付ける構成を採用することができる。
【００１１】
＜４＞上掛けロープ。
上掛けロープ２は木材ブロック４の上に配置するワイヤーロープであり、その両端を前記の地中ロープ１に取り付ける。
木材ブロック４の上に掛け渡すものであるから、木材の出し入れ作業に支障をきたすことがないよう、中間にフックなどを介在させて簡単に切り離し、再接合ができる構成とする。
木材ブロック４は、その下部分を地中ロープ１で、上部分を上掛けロープ２で包囲され、上掛けロープ２を引き締めることによって一体的に拘束される。
【００１２】
＜５＞アンカーによる拘束。（図２）
上記のように木材ブロック４は、その上下を上掛けロープ２と地中ロープ１によって包囲されて拘束される。
拘束された木材ブロック４が、津波や異常高潮によって浮き上がった場合にその浮力によって地中ロープ１は溝８の内部、あるいは地中から引き出される。
その地中ロープ１の上向きの引張力は、地中ロープ１の両端、あるいはその一部を固定したアンカー３に作用する。
その場合に、どの程度の津波に対抗させるかを事前に決定してアンカー３の設計を行う。
そして、一定値以下の津波や高潮による引き抜き力にはアンカー３で抵抗して木材ブロック４の移動を拘束する。
【００１３】
＜６＞アンカーの引き抜き。（図３）
上記のように、一定値以下の津波や高潮による引き抜き力にはアンカー３で抵抗して木材ブロック４の移動を拘束できるが、それ以上の大きな津波の力に対しては抵抗しないアンカー３として設置する。
このように、本発明の装置は大きな津波に対してはアンカー３が抵抗しないから、経済的な条件下でアンカー３の設置を行うことができる。
一定値以上の津波の力に抵抗しないアンカー３は、木材ブロック４の浮力によって地中ロープ１の端部に取り付けた状態で、引き抜ける。
そして津波に乗って浮遊する木材ブロック４とともに、アンカー３は地表面をズルズルと引きずられて移動を続ける。
するとアンカー３は、地表面のガードレール７や電柱、その他の構造物にひっかかって、木材ブロック４の移動の抵抗となる。
その状態は、ちょうど停泊中の船舶と錨の関係と同じであり、さほど大きな直径の地中ロープ１でなくとも、数千トンの木材ブロック４の移動を拘束することが可能となる。
こうしてアンカー３自体に大きな定着抵抗を期待せず、引き抜き後には地表面の既存構造物を抵抗体として作用させるから、経済的、実用的なアンカー３を採用することができる。
アンカー３がガードレール７などに係合しやすくするために、長い地中ロープ１を地中に折りたたんで設置しておくこともできる。
さらにアンカー３がガードレール７などに係合しやすくするために、アンカー３を単なる円柱ではなく、周囲にフックなどを突設した、船舶の錨のような形状に構成しておくこともできる。
【００１４】
＜７＞木材ブロックの連結。（図４）
以上の説明は、単独の木材ブロック４の浮遊作用に関するものであった。
このような木材ブロック４と木材ブロック４とを、連結ロープ５で連結しておくことも可能である。
その連結ロープ５も、地中ロープ１と同じように地中に設置しておく。
ただし、連結ロープ５は、地中ロープ１とは直交する方向に配置しておき、津波時の木材ブロック４の浮力によって地中から引き出されて、ひとつの木材ブロック４と隣の木材ブロック４との間をゆるく拘束する。
前記したように、地中ロープ１が海岸線と直交する方向に配置した場合には、連結ロープ５は海岸線と平行する方向に向けて配置することになる。
このように木材ブロック４と木材ブロック４との間を連結ロープ５で連結しておくと、津波による木材ブロック４の移動が相互に拘束しあって、急激な移動の抵抗となる。
また津波の引き上げた後にも、複数の木材ブロック４が接近して浮遊するからその回収も容易である。
【００１５】
＜８＞ネットによる拘束。（図６）
以上の説明は、木材ブロック４を地中ロープ１と上掛けロープ２とによって拘束する構造であった。
その際に、さらにネット６を利用し、そのネットを木材ブロック４の上から被せれば、木材のブロック化がより確実である。
ただし前記したように木材は頻繁に搬入、搬出があるから、木材ブロック４の全体をネットで被覆するような構成は実用的ではない。
そのために、たとえば木材ブロック４の四隅の稜線だけをネット６で被覆するような構成を採用して、日常の作業の障害にならず、かつ木材群のブロック化が確実であるような構成とする。
【００１６】
＜９＞浮遊構造の整理。
以上説明したように、本発明の木材ブロック４の拘束装置は、津波、高潮による水位の上昇によって木材ブロック４の浮遊を許容するものである。
そして浮遊に際して、一定以下の津波の力では、アンカー３が引き抜けず、一定以上の津波の力でアンカー３が引き抜けるように構成してある。
アンカー３が引き抜けて木材ブロック４が浮遊する場合に、木材ブロック４が単一である構成、あるいは複数の木材ブロック４を連結ロープ５で連結する構成を採用することができる。
【符号の説明】
【００１７】
１：地中ロープ
２：上掛けロープ
３：アンカー
４：木材ブロック
５：連結ロープ
６：ネット
７：ガードレールなどの地上構造物
８：溝
【図１】
2010184753.tif 000003
【図２】
2010184753.tif 000004
【図３】
2010184753.tif 000005
【図４】
2010184753.tif 000006
【図５】
2010184753.tif 000007
【図６】
2010184753.tif 000008